Podtech/llm-jp-corpus-v4-ja_patent huggingface dataset:
【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
第１の機能と第２の機能を含む複数の機能を備える画像処理装置であって、
原稿を読み取って画像データを生成する読取手段と、
前記第１の機能が選択されたことに基づき、前記原稿の向きをユーザから受け付ける受付手段と、
前記受付手段が受け付けた向きを、当該向きに基づいて前記第２の機能を実行可能とすべく記憶する記憶手段と、
を備えることを特徴とする画像処理装置。
【請求項２】
第１の機能と第２の機能を含む複数の機能を備える画像処理装置であって、
原稿を読み取って画像データを生成する読取手段と、
前記第１の機能が選択されたことに基づき、前記原稿の向きをユーザから受け付ける受付手段と、
前記受付手段が受け付けた向きを記憶する記憶手段と、
前記第１の機能がキャンセルされた後に前記第２の機能が選択された場合に、前記記憶手段に記憶された向きに基づいて前記第２の機能を実行するように制御する制御手段と、
を備えることを特徴とする画像処理装置。
【請求項３】
前記記憶手段は、前記受付手段が受け付けた向きがデフォルト値と異なる場合に当該受け付けた向きを記憶することを特徴とする請求項１または２に記載の画像処理装置。
【請求項４】
前記第１の機能または前記第２の機能は、ページ集約機能であることを特徴とする請求項１乃至３のいずれか１項に記載の画像処理装置。
【請求項５】
前記第１の機能または前記第２の機能は、コピー機能、電子メール機能、またはＦＡＸ機能であることを特徴とする請求項１乃至３のいずれか１項に記載の画像処理装置。
【請求項６】
前記第１の機能は第１のアプリケーションに対応する機能であり、前記第２の機能は第２のアプリケーションに対応する機能であることを特徴とする請求項１乃至３のいずれか１項に記載の画像処理装置。
【請求項７】
第１の機能と第２の機能を含む複数の機能を備える画像処理装置の制御方法であって、
原稿を読み取って画像データを生成する読取工程と、
前記第１の機能が選択されたことに基づき、前記原稿の向きをユーザから受け付ける受付工程と、
前記受付工程で受け付けた向きを、当該向きに基づいて前記第２の機能を実行可能とすべく記憶装置に記憶する記憶工程と、
を備えることを特徴とする画像処理装置の制御方法。
【請求項８】
第１の機能と第２の機能を含む複数の機能を備える画像処理装置の制御方法であって、
原稿を読み取って画像データを生成する読取工程と、
前記第１の機能が選択されたことに基づき、前記原稿の向きをユーザから受け付ける受付工程と、
前記受付工程で受け付けた向きを記憶装置に記憶する記憶工程と、
前記第１の機能がキャンセルされた後に前記第２の機能が選択された場合に、前記記憶装置に記憶された向きに基づいて前記第２の機能を実行するように制御する制御工程と、
を備えることを特徴とする画像処理装置の制御方法。
【請求項９】
コンピュータを請求項１乃至６のいずれか１項に記載の画像処理装置の各手段として機能させるためのプログラム。
【手続補正２】
【補正対象書類名】明細書
【補正対象項目名】発明の名称
【補正方法】変更
【補正の内容】
【発明の名称】画像処理装置、その制御方法、及びプログラム
【手続補正３】
【補正対象書類名】明細書
【補正対象項目名】０００１
【補正方法】変更
【補正の内容】
【０００１】
本発明は、原稿を読み取って画像データを生成する画像処理装置、その制御方法、及びプログラムに関する。
【手続補正４】
【補正対象書類名】明細書
【補正対象項目名】００１０
【補正方法】変更
【補正の内容】
【００１０】
本発明の特徴は、ある機能が選択されたことに基づきユーザから受け付けた原稿の向きを他の機能でも使用できるようにする技術を提供することにある。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
上記目的を達成するために本発明の一態様に係る画像処理装置は、第１の機能と第２の機能を含む複数の機能を備える画像処理装置であって、原稿を読み取って画像データを生成する読取手段と、前記第１の機能が選択されたことに基づき、前記原稿の向きをユーザから受け付ける受付手段と、前記受付手段が受け付けた向きを、当該向きに基づいて前記第２の機能を実行可能とすべく記憶する記憶手段と、を備えることを特徴とする。
また、本発明の一態様に係る画像処理装置は、第１の機能と第２の機能を含む複数の機能を備える画像処理装置であって、原稿を読み取って画像データを生成する読取手段と、前記第１の機能が選択されたことに基づき、前記原稿の向きをユーザから受け付ける受付手段と、前記受付手段が受け付けた向きを記憶する記憶手段と、前記第１の機能がキャンセルされた後に前記第２の機能が選択された場合に、前記記憶手段に記憶された向きに基づいて前記第２の機能を実行するように制御する制御手段と、を備えることを特徴とする。
【手続補正８】
【補正対象書類名】明細書
【補正対象項目名】００１４
【補正方法】変更
【補正の内容】
【００１４】
本発明によれば、ある機能が選択されたことに基づきユーザから受け付けた原稿の向きを他の機能でも使用できるようになるため、操作性の煩雑さが軽減できる。
【手続補正９】
【補正対象書類名】明細書
【補正対象項目名】００１５
【補正方法】削除
【補正の内容】
【手続補正１０】
【補正対象書類名】明細書
【補正対象項目名】００３０
【補正方法】変更
【補正の内容】
【００３０】
このフローチャートは、原稿の向きの指定を開始し、その原稿の向きの設定を完了するまでの処理を示す。また、図６は、原稿の向きを指定する画面例を示す図で、図４の各ステップの処理において、ユーザが参照する画面の一例を示している。図４の各ステップは、ＨＤＤ２００４に格納されたプログラムに従ってＣＰＵ２００１が処理を実行することにより実現される。例えば図６の画面は、操作部２０１２の「設定／登録」ボタン３０４が押下され、その操作メニュで「原稿の向き」が選択されることにより表示されることにより表示される。また或いは後述の図５や図１３に示すように、ある機能が指示されたときに、その操作画面の「原稿の向き」が指示されることにより表示される。
【手続補正１１】
【補正対象書類名】明細書
【補正対象項目名】００５４
【補正方法】変更
【補正の内容】
【００５４】
このように、原稿をスキャンして電子メールやファイル送信などで送信する送信ジョブのように、必ず原稿の向きを設定しなければならない場合に、自動的にユーザが確認できるようにしている。即ち、必ず原稿の向きを設定しなければならない場合に、ユーザが原稿の向きを指定していない場合は、ジョブの開始前に原稿の向きを設定するための画面を自動的に表示してユーザに確認を促す。これにより、ユーザは確実に原稿の向きを設定することが可能になる。
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
撮影光学系を通して被写体を撮像する撮像手段と、
前記撮影光学系を介して入射する被写体光量を調整するための絞り手段と、
前記撮像手段により撮像された画像を表示する表示手段と、
前記表示手段に対する接触操作及び接触位置を検出する検出手段と、
前記検出手段により、前記表示手段への接触操作が検出されたことに応じて、検出した接触位置に表示される被写体に対して合焦処理を行うように制御し、
前記表示手段への接触操作において接触が継続されたままで特定の接触操作が検出されると、前記絞り手段による絞り調整を行うように制御し、
前記表示手段への接触操作が検出されなくなったことに応じて、前記撮像手段による撮像を行い、撮像して得られた画像を記録媒体に記録する撮影処理を行うように制御する制御手段とを備えたことを特徴とする撮像装置。
【請求項２】
前記制御手段は、前記表示手段への接触操作において接触が継続されたままで第１の接触操作が行われたことに応じて、前記表示手段に絞り調整用アイコンを表示するように制御し、前記第１の接触動作の後に第２の接触操作が行われたことに応じて、前記絞り手段による絞り調整を行うように制御することを特徴とする請求項１に記載の撮像装置。
【請求項３】
前記制御手段は、前記表示手段へ接触した状態となる第１の接触操作に応じて、検出した接触位置に表示される被写体に対して合焦処理を行うように制御し、
前記特定の接触操作は、前記第１の接触操作による接触が継続されたままで行われる、前記表示手段に対する新たな第２の接触操作であることを特徴とする請求項１に記載の撮像装置。
【請求項４】
前記第２の接触操作は、前記表示手段に接触した状態とする操作であり、
前記制御手段は、前記第１の接触操作による接触が継続されたままで、前記第２の接触操作による接触が継続されている間、前記絞り手段による絞り調整を行うことを特徴とする請求項３に記載の撮像装置。
【請求項５】
前記第２の接触操作は、前記表示手段に接触した状態とする操作及びその接触を離す操作を繰り返す操作であり、
前記制御手段は、前記第１の接触操作による接触が継続されたままで、前記第２の接触操作による接触及びその接触を離す操作を検出する毎に前記絞り手段の開閉動作を切り替えることを特徴とする請求項３に記載の撮像装置。
【請求項６】
前記第２の接触操作は、前記表示手段に接触した状態で移動させる操作であり、
前記制御手段は、前記第１の接触操作による接触が継続されたままで、前記第２の接触操作による移動方向に応じて前記絞り手段の開閉動作を切り替えることを特徴とする請求項３に記載の撮像装置。
【請求項７】
前記制御手段は、前記第１の接触操作により接触した状態で所定の距離以上移動させる操作があると、前記表示手段に絞り調整用アイコンを表示し、
前記特定の接触操作は、前記第１の接触操作による接触での前記絞り調整用アイコンの操作あることを特徴とする請求項３に記載の撮像装置。
【請求項８】
前記制御手段は、前記第１の接触操作が検出されると、検出した接触位置に合焦枠を表示することを特徴とする請求項２乃至６のいずれか１項に記載の撮像装置。
【請求項９】
前記検出手段はタッチパネルであること特徴とする請求項１乃至８のいずれか１項に記載の撮像装置。
【請求項１０】
撮影光学系を通して被写体を撮像する撮像手段と、
前記撮影光学系を介して入射する被写体光量を調整するための絞り手段と、
前記撮像手段により撮像された画像を表示する表示手段と、
前記表示手段に対する接触操作及び接触位置を検出する検出手段とを備えた撮像装置の制御方法であって、
前記検出手段により、前記表示手段への接触操作が検出されたことに応じて、検出した接触位置に表示される被写体に対して合焦処理を行うように制御するステップと、
前記表示手段への接触操作において接触が継続されたままで特定の接触操作が検出されると、前記絞り手段による絞り調整を行うように制御するステップと、
前記表示手段への接触操作が検出されなくなったことに応じて、前記撮像手段による撮像を行い、撮像して得られた画像を記録媒体に記録する撮影処理を行うように制御するステップとを有することを特徴とする撮像装置の制御方法。
【請求項１１】
撮影光学系を通して被写体を撮像する撮像手段と、
前記撮影光学系を介して入射する被写体光量を調整するための絞り手段と、
前記撮像手段により撮像された画像を表示する表示手段と、
前記表示手段に対する接触操作及び接触位置を検出する検出手段とを備えた撮像装置を制御するためのプログラムであって、
前記検出手段により、前記表示手段への接触操作が検出されたことに応じて、検出した接触位置に表示される被写体に対して合焦処理を行うように制御する処理と、
前記表示手段への接触操作において接触が継続されたままで特定の接触操作が検出されると、前記絞り手段による絞り調整を行うように制御する処理と、
前記表示手段への接触操作が検出されなくなったことに応じて、前記撮像手段による撮像を行い、撮像して得られた画像を記録媒体に記録する撮影処理を行うように制御する処理とをコンピュータに実行させるためのプログラム。
【請求項１２】
請求項１１に記載のプログラムを記憶したことを特徴とするコンピュータ読み取り可能な記憶媒体。
【手続補正２】
【補正対象書類名】明細書
【補正対象項目名】０００８
【補正方法】変更
【補正の内容】
【０００８】
本発明の撮像装置は、撮影光学系を通して被写体を撮像する撮像手段と、前記撮影光学系を介して入射する被写体光量を調整するための絞り手段と、前記撮像手段により撮像された画像を表示する表示手段と、前記表示手段に対する接触操作及び接触位置を検出する検出手段と、前記検出手段により、前記表示手段への接触操作が検出されたことに応じて、検出した接触位置に表示される被写体に対して合焦処理を行うように制御し、前記表示手段への接触操作において接触が継続されたままで特定の接触操作が検出されると、前記絞り手段による絞り調整を行うように制御し、前記表示手段への接触操作が検出されなくなったことに応じて、前記撮像手段による撮像を行い、撮像して得られた画像を記録媒体に記録する撮影処理を行うように制御する制御手段とを備えたことを特徴とする。
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
情報に対応して磁化の向きが変化される記憶層と、
磁化の向きが固定された磁化固定層と、
上記記憶層と上記磁化固定層との間に配された非磁性体による中間層と、
キャップ層と
を少なくとも含む層構造を有し、該層構造の積層方向に電流を流すことにより上記記憶層の磁化方向が変化して情報の記録が行われると共に、
上記記憶層が、
第１の強磁性層と結合層と第２の強磁性層とが同順に積層されて上記第１の強磁性層と上記第２の強磁性層とが上記結合層を介して磁気的に結合され、上記第１の強磁性層が上記中間層に接し、上記第２の強磁性層が上記キャップ層に接しており、
上記第１の強磁性層と上記第２の強磁性層のうち一方が膜面内磁化が優位な面内磁化層とされ、他方が垂直磁化が優位な垂直磁化層とされ、上記第１の強磁性層及び上記第２の強磁性層の磁化の向きが膜面に垂直な方向から傾斜している
記憶素子。
【請求項２】
上記第１の強磁性層が上記面内磁化層であり、上記第２の強磁性層が上記垂直磁化層である
請求項１に記載の記憶素子。
【請求項３】
上記第１の強磁性層の磁化と膜面に垂直な方向との角度が、上記第２の強磁性層の磁化と膜面に垂直な方向との角度よりも大きい
請求項２に記載の記憶素子。
【請求項４】
上記第１の強磁性層が上記垂直磁化層であり、上記第２の強磁性層が上記面内磁化層である
請求項１に記載の記憶素子。
【請求項５】
上記第１の強磁性層の磁化と膜面に垂直な方向との角度が、上記第１の強磁性層の磁化と膜面に垂直な方向との角度よりも小さい
請求項４に記載の記憶素子。
【請求項６】
上記中間層がトンネル絶縁層である請求項１乃至請求項５の何れかに記載の記憶素子。
【請求項７】
上記キャップ層が酸化物層を含む請求項１乃至請求項６の何れかに記載の記憶素子。
【請求項８】
上記第１の強磁性層及び上記第２の強磁性層がＣｏ−Ｆｅ−Ｂ層を含む請求項１乃至請求項７の何れかに記載の記憶素子。
【請求項９】
情報に対応して磁化の向きが変化される記憶層と、
磁化の向きが固定された磁化固定層と、
上記記憶層と上記磁化固定層との間に配された非磁性体による中間層と、
キャップ層と
を少なくとも含む層構造を有し、該層構造の積層方向に電流を流すことにより上記記憶層の磁化方向が変化して情報の記録が行われると共に、
上記記憶層が、
第１の強磁性層と結合層と第２の強磁性層とが同順に積層されて上記第１の強磁性層と上記第２の強磁性層とが上記結合層を介して磁気的に結合され、上記第１の強磁性層が上記中間層に接し、上記第２の強磁性層が上記キャップ層に接しており、
上記第１の強磁性層と上記第２の強磁性層のうち一方が膜面内磁化が優位な面内磁化層とされ、他方が垂直磁化が優位な垂直磁化層とされ、上記第１の強磁性層及び上記第２の強磁性層の磁化の向きが膜面に垂直な方向から傾斜している記憶素子
を備えると共に、
上記記憶素子に対して上記積層方向に流れる電流を供給する配線部と、
上記配線部を介した上記記憶素子への上記電流の供給制御を行う電流供給制御部と
を備える記憶装置。
【手続補正２】
【補正対象書類名】明細書
【補正対象項目名】０１０４
【補正方法】変更
【補正の内容】
【０１０４】
以上のような磁気抵抗効果型磁気ヘッドの上に積層形成されたインダクティブ型磁気ヘッドは、第２の磁気シールド１２７及び上層コア１３２によって構成される磁気コアと、当該磁気コアを巻回するように形成された薄膜コイル１３３とを備えている。
上層コア１３２は、第２の磁気シールド１２７と共に閉磁路を形成して、このインダクティブ型磁気ヘッドの磁気コアとなるものであり、Ｎｉ−Ｆｅ等のような軟磁性材からなる。ここで、第２の磁気シールド１２７及び上層コア１３２は、それらの前端部が磁気記録媒体対向面に露呈し、且つ、それらの後端部において第２の磁気シールド１２７及び上層コア１３２が互いに接するように形成されている。ここで、第２の磁気シールド１２７及び上層コア１３２の前端部は、磁気記録媒体対向面において、第２の磁気シールド１２７及び上層コア１３２が所定の間隙ｇをもって離間するように形成されている。
すなわち、この複合型磁気ヘッド１００において、第２の磁気シールド１２７は、磁気抵抗効果素子１０１の上層側を磁気的にシールドするだけでなく、インダクティブ型磁気ヘッドの磁気コアも兼ねており、第２の磁気シールド１２７と上層コア１３２によってインダクティブ型磁気ヘッドの磁気コアが構成されている。そして間隙ｇが、インダクティブ型磁気ヘッドの記録用磁気ギャップとなる。
【手続補正３】
【補正対象書類名】明細書
【補正対象項目名】０１０５
【補正方法】変更
【補正の内容】
【０１０５】
また、第２の磁気シールド１２７上には、絶縁層１２３に埋設された薄膜コイル１３３が形成されている。ここで、薄膜コイル１３３は、第２の磁気シールド１２７及び上層コア１３２からなる磁気コアを巻回するように形成されている。図示していないが、この薄膜コイル１３３の両端部は、外部に露呈するようになされ、薄膜コイル１３３の両端に形成された端子が、このインダクティブ型磁気ヘッドの外部接続用端子となる。すなわち、磁気記録媒体への磁気信号の記録時には、これらの外部接続用端子から薄膜コイル１３３に記録電流が供給されることとなる。
【手続補正書】
【提出日】平成26年11月20日(2014.11.20)
【手続補正１】
【補正対象書類名】明細書
【補正対象項目名】００６８
【補正方法】変更
【補正の内容】
【００６８】
記憶層１７は、磁化Ｍ１７の方向が層面垂直方向に自由に変化する磁気モーメントを有する強磁性体から構成されている。磁化固定層１５は、磁化Ｍ１５が膜面垂直方向に固定された磁気モーメントを有する強磁性体から構成されている。
情報の記憶は一軸異方性を有する記憶層１７の磁化の向きにより行う。書込みは、膜面垂直方向に電流を印加し、スピントルク磁化反転を起こすことにより行う。このように、スピン注入により磁化の向きが反転する記憶層１７に対して、下層に磁化固定層１５が設けられ、記憶層１７の記憶情報（磁化方向）の基準とされる。
本実施の形態では、記憶層１７、磁化固定層１５としてはＣｏ−Ｆｅ−Ｂを用いる。後述するが、記憶層１７は、Ｃｏ−Ｆｅ−Ｂ磁性層に加え、非磁性層が含まれている。例えばＴａ層である。この非磁性層はＶ、Ｎｂ、Ｃｒ、Ｗ、Ｍｏ、Ｔｉ、Ｚｒ、Ｈｆのいずれかでもよい。
【手続補正２】
【補正対象書類名】明細書
【補正対象項目名】００９３
【補正方法】変更
【補正の内容】
【００９３】
記録層のＣｏ−Ｆｅ−Ｂベース磁性材料を垂直磁化させるにはＣｏ，Ｆｅの３ｄ電子と酸素の２ｐ電子の軌道混成が重要である。ここで、Ｌｉは電気陰性度が１．０と小さい材料であるため、酸化物中の酸素の電子を拘束する力が弱い。このためＬｉベース酸化物とＣｏ−Ｆｅ−Ｂベース磁性材料の界面でより強固な酸素の電子とＣｏ，Ｆｅの電子の軌道混成が生じる。それにより、Ｌｉベース酸化物を用いた場合に、高ＫＶ/ｋBＴが実現されていると考えられる。
また、Ｌｉは軽元素であるため、磁性材料とのスピン‐軌道相互作用が小さい。これにより、記憶層１７の実効的なダンピング定数は小さくなり、結果として低Ｖｃ０の特性が実現されているものと考えられる。
【手続補正３】
【補正対象書類名】明細書
【補正対象項目名】０１０３
【補正方法】変更
【補正の内容】
【０１０３】
以上のような磁気抵抗効果型磁気ヘッドの上に積層形成されたインダクティブ型磁気ヘッドは、第２の磁気シールド１２７及び上層コア１３２によって構成される磁気コアと、当該磁気コアを巻回するように形成された薄膜コイル１３３とを備えている。
上層コア１３２は、第２の磁気シールド１２７と共に閉磁路を形成して、このインダクティブ型磁気ヘッドの磁気コアとなるものであり、Ｎｉ−Ｆｅ等のような軟磁性材からなる。ここで、第２の磁気シールド１２７及び上層コア１３２は、それらの前端部が磁気記録媒体対向面に露呈し、且つ、それらの後端部において第２の磁気シールド１２７及び上層コア１３２が互いに接するように形成されている。ここで、第２の磁気シールド１２７及び上層コア１３２の前端部は、磁気記録媒体対向面において、第２の磁気シールド１２７及び上層コア１３２が所定の間隙ｇをもって離間するように形成されている。
すなわち、この複合型磁気ヘッド１００において、第２の磁気シールド１２７は、磁気抵抗効果素子１０１の上層側を磁気的にシールドするだけでなく、インダクティブ型磁気ヘッドの磁気コアも兼ねており、第２の磁気シールド１２７と上層コア１３２によってインダクティブ型磁気ヘッドの磁気コアが構成されている。そして間隙ｇが、インダクティブ型磁気ヘッドの記録用磁気ギャップとなる。
【手続補正４】
【補正対象書類名】明細書
【補正対象項目名】０１０４
【補正方法】変更
【補正の内容】
【０１０４】
また、第２の磁気シールド１２７上には、絶縁層１２３に埋設された薄膜コイル１３３が形成されている。ここで、薄膜コイル１３３は、第２の磁気シールド１２７及び上層コア１３２からなる磁気コアを巻回するように形成されている。図示していないが、この薄膜コイル１３３の両端部は、外部に露呈するようになされ、薄膜コイル１３３の両端に形成された端子が、このインダクティブ型磁気ヘッドの外部接続用端子となる。すなわち、磁気記録媒体への磁気信号の記録時には、これらの外部接続用端子から薄膜コイル１３３に記録電流が供給されることとなる。
【手続補正５】
【補正対象書類名】明細書
【補正対象項目名】０１０５
【補正方法】変更
【補正の内容】
【０１０５】
以上のような複合型磁気ヘッド１００は、再生用ヘッドとして磁気抵抗効果型磁気ヘッドを搭載しているが、当該磁気抵抗効果型磁気ヘッドは、磁気記録媒体からの磁気信号を検出する感磁素子として、本開示の技術を適用した磁気抵抗効果素子１０１を備えている。そして、本開示の技術を適用した磁気抵抗効果素子１０１は、上述したように非常に優れた特性を示すので、この磁気抵抗効果型磁気ヘッドは、磁気記録の更なる高記録密度化に対応することができる。
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
圧電体層と前記圧電体層を挟む一対の電極とを具備する圧電素子を備え、
前記圧電体層は、ビスマス、鉄、バリウム及びチタンを含みペロブスカイト構造を有する複合酸化物からなり、
前記圧電体層に駆動電圧Ｖａを印加したときの変位量をＺｍａｘ、その後印加電圧を０Ｖにしたときの変位量をＺ０としたとき、（Ｚｍａｘ−Ｚ０）／Ｖａが７０ｐｍ／Ｖ以上且つ比誘電率が７００以下であることを特徴とする液体噴射ヘッド。
【請求項２】
請求項１に記載する液体噴射ヘッドを具備することを特徴とする液体噴射装置。
【請求項３】
圧電体層と前記圧電体層を挟む一対の電極とを具備する圧電素子であって、
前記圧電体層は、ビスマス、鉄、バリウム及びチタンを含みペロブスカイト構造を有する複合酸化物からなり、
前記圧電体層に駆動電圧Ｖａを印加したときの変位量をＺｍａｘ、その後印加電圧を０Ｖにしたときの変位量をＺ０としたとき、（Ｚｍａｘ−Ｚ０）／Ｖａが７０ｐｍ／Ｖ以上且つ比誘電率が７００以下であることを特徴とする圧電素子。
【請求項４】
請求項３に記載の圧電素子を具備することを特徴とする超音波デバイス。
【請求項５】
請求項３に記載の圧電素子を具備することを特徴とするセンサー。
【手続補正２】
【補正対象書類名】明細書
【補正対象項目名】発明の名称
【補正方法】変更
【補正の内容】
【発明の名称】液体噴射ヘッド、液体噴射装置、圧電素子、超音波デバイス及びセンサー
【手続補正３】
【補正対象書類名】明細書
【補正対象項目名】０００８
【補正方法】変更
【補正の内容】
【０００８】
上記課題を解決する本発明の態様は、圧電体層と前記圧電体層を挟む一対の電極とを具備する圧電素子を備え、前記圧電体層は、ビスマス、鉄、バリウム及びチタンを含みペロブスカイト構造を有する複合酸化物からなり、前記圧電体層に駆動電圧Ｖａを印加したときの変位量をＺｍａｘ、その後印加電圧を０Ｖにしたときの変位量をＺ０としたとき、（Ｚｍａｘ−Ｚ０）／Ｖａが７０ｐｍ／Ｖ以上且つ比誘電率が７００以下であることを特徴とする液体噴射ヘッドにある。
かかる態様では、（Ｚｍａｘ−Ｚ０）／Ｖａが７０ｐｍ／Ｖ以上且つ比誘電率が７００以下である圧電体層とすることにより、歪量の大きい圧電素子を有する液体噴射ヘッドとなる。また、鉛を含有しないものとすることができる又は鉛の含有量を抑えられるため、環境への負荷を低減することができ、さらに、高速駆動することができるという利点もある。
【手続補正４】
【補正対象書類名】明細書
【補正対象項目名】００１０
【補正方法】変更
【補正の内容】
【００１０】
また、本発明の他の態様は、圧電体層と前記圧電体層を挟む一対の電極とを具備する圧電素子であって、前記圧電体層は、ビスマス、鉄、バリウム及びチタンを含みペロブスカイト構造を有する複合酸化物からなり、前記圧電体層に駆動電圧Ｖａを印加したときの変位量をＺｍａｘ、その後印加電圧を０Ｖにしたときの変位量をＺ０としたとき、（Ｚｍａｘ−Ｚ０）／Ｖａが７０ｐｍ／Ｖ以上且つ比誘電率が７００以下であることを特徴とする圧電素子にある。
かかる態様では、環境への負荷を低減し、さらに歪量が大きい圧電素子を実現できる。
また、本発明の他の態様は、上記圧電素子を具備することを特徴とする超音波デバイス、あるいは、上記圧電素子を具備することを特徴とするセンサーにある。
かかる態様では、鉛を含有しないものとすることができる又は鉛の含有量を抑えられるため、環境への負荷を低減することができ、さらに、高速駆動が可能な超音波デバイス、あるいはセンサーを実現することができる。
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
少なくともビスマス、バリウム、鉄、及びチタンを含むペロブスカイト型構造の複合酸化物からなる圧電体層と、前記圧電体層に電圧を印加する電極と、を具備する圧電素子であって、
前記圧電体層は、引張り応力により菱面晶から単斜晶へ変化しており、
駆動時において、電圧を印加することにより前記圧電体層が単斜晶から菱面晶へ変化することを特徴とする圧電素子。
【請求項２】
請求項１に記載の圧電素子において、前記複合酸化物は、マンガンをさらに含むことを特徴とする圧電素子。
【請求項３】
請求項１又は２に記載の圧電素子を具備することを特徴とする液体噴射ヘッド。
【請求項４】
請求項３に記載の液体噴射ヘッドを具備することを特徴とする液体噴射装置。
【請求項５】
請求項１又は２に記載の圧電素子を具備することを特徴とする超音波デバイス。
【請求項６】
請求項１又は２に記載の圧電素子を具備することを特徴とするセンサー。
【手続補正２】
【補正対象書類名】明細書
【補正対象項目名】発明の名称
【補正方法】変更
【補正の内容】
【発明の名称】圧電素子、液体噴射ヘッド、液体噴射装置、超音波デバイス及びセンサー
【手続補正３】
【補正対象書類名】明細書
【補正対象項目名】００１４
【補正方法】変更
【補正の内容】
【００１４】
上記課題を解決する本発明の態様は、少なくともビスマス、バリウム、鉄、及びチタンを含むペロブスカイト型構造の複合酸化物からなる圧電体層と、前記圧電体層に電圧を印加する電極と、を具備する圧電素子であって、  前記圧電体層は、引張り応力により菱面晶から単斜晶へ変化しており、  駆動時において、電圧を印加することにより前記圧電体層が単斜晶から菱面晶へ変化することを特徴とする圧電素子にある。
かかる態様では、鉛の含有量が少なく、且つ従来とは異なる組成で電界誘起相転移による駆動を行うことができ、また、比較的低電圧で比較的大きな歪を得ることができる圧電素子を実現することができる。
【手続補正４】
【補正対象書類名】明細書
【補正対象項目名】００１６
【補正方法】変更
【補正の内容】
【００１６】
本発明の他の態様は、上記圧電素子を具備することを特徴とする液体噴射ヘッド、当該液体噴射ヘッドを具備することを特徴とする液体噴射装置、上記圧電素子を具備することを特徴とする超音波デバイス、あるいは、上記圧電素子を具備することを特徴とするセンサーにある。
かかる態様では、鉛の含有量が少なく、且つ従来とは異なる組成で電界誘起相転移による駆動を行うことができ、また、比較的低電圧で比較的大きな歪を得ることができるため、環境への負荷を低減し且つ信頼性に優れた液体噴射ヘッド、液体噴射装置、超音波デバイス、あるいはセンサーを実現することができる。
【手続補正５】
【補正対象書類名】明細書
【補正対象項目名】００３６
【補正方法】変更
【補正の内容】
【００３６】
本実施形態の圧電体層７０は、詳細は後述するが、引張り応力により菱面晶から単斜晶へ変化しており、駆動時において、電圧を印加することにより単斜晶から菱面晶へ変化する。すなわち、圧電体層７０は、本来、菱面晶になる組成であるが、基板から引張り応力（外部歪）を受けて単斜晶となっている。そして、かかる圧電体層７０は、例えば、２０Ｖの駆動電圧で駆動することにより、駆動の際に単斜晶から菱面晶へ相転移が生じる。すなわち、圧電体層７０を含む圧電素子３００は、通常では菱面晶になる組成であるが、引駆動状態において基板からの引張り応力を与えることにより単斜晶とし、駆動により電界誘起歪が生じるようにしたものであり、結果的に大きな歪が得られる。
【手続補正６】
【補正対象書類名】明細書
【補正対象項目名】００６９
【補正方法】変更
【補正の内容】
【００６９】
したがって、例えばｘ＝０．８３９、膜厚５００ｎｍ、無電界状態での応力がゼロのＢＦＯ−ＢＴにおいて２０Ｖの電圧印加で単斜晶から菱面晶への相転移が起こる。同様に、ｘ＝０．９３７、膜厚５００ｎｍ、基板応力による外部歪が０．０１であるＢＦＯ−ＢＴでは、２０Ｖの電圧印加で単斜晶から菱面晶への相転移が起こる。
【手続補正７】
【補正対象書類名】明細書
【補正対象項目名】００８６
【補正方法】変更
【補正の内容】
【００８６】
この結果、ｘ＝０．９３７、膜厚５００ｎｍ、外部応力（引張り応力）０．０１の圧電体層においては、２０Ｖの電圧印加で単斜晶から菱面晶への相転移が起こることが確認され、上述した計算結果と非常に良い一致を示すことがあきらかとなった。
【手続補正書】
【提出日】平成26年12月1日(2014.12.1)
【手続補正１】
【補正対象書類名】明細書
【補正対象項目名】００１４
【補正方法】変更
【補正の内容】
【００１４】
上記目的を達成するために、請求項１の通信装置は、ＩＰ網を経由するファックス通信によりデータの送信を行う通信装置であって、ファックス通信の宛先へ前記データを送信する前に、当該データの送信をキャンセル可能とするための時間を記憶する記憶手段と、前記宛先に前記データを送信するための指示を受け付けた後、前記記憶手段に記憶された時間が経過した後に前記データを送信する送信手段とを備えたことを特徴とする。
【手続補正２】
【補正対象書類名】特許請求の範囲
【補正対象項目名】全文
【補正方法】変更
【補正の内容】
【特許請求の範囲】
【請求項１】
ＩＰ網を経由するファックス通信によりデータの送信を行う通信装置であって、
ファックス通信の宛先へ前記データを送信する前に、当該データの送信をキャンセル可能とするための時間を記憶する記憶手段と、
前記宛先に前記データを送信するための指示を受け付けた後、前記記憶手段に記憶された時間が経過した後に前記データを送信する送信手段と
を備えたことを特徴とする通信装置。
【請求項２】
前記送信手段は、前記宛先に前記データを送信するための指示を受け付け、前記宛先との接続に成功した後に、前記記憶手段に記憶された時間が経過した後に前記データを送信することを特徴とする請求項１に記載の通信装置。
【請求項３】
前記通信装置は、アナログ回線を経由するファックス通信も可能であり、
前記アナログ回線を用いたファックス通信において、前記宛先への発呼から、モデムネゴシエーションが完了するまでに要する時間を計測する計測手段を備え、
前記記憶手段に記憶された時間は、前記計測手段により計測された時間であることを特徴とする請求項１または２に記載の通信装置。
【請求項４】
前記記憶手段に記憶された時間は、前記ＩＰ網を経由するファックス通信、及び前記アナログ回線を経由するファックス通信を用いた同報同時送信の場合には、前記アナログ回線を経由したファックス通信で、前記宛先への発呼から、モデムネゴシエーションが完了するまでに要した時間のうちで最も長い時間であることを特徴とする請求項３に記載の通信装置。
【請求項５】
前記記憶手段に記憶された時間は、前記計測された時間、及び予め設定された時間のいずれか一方であることを特徴とする請求項３または４に記載の通信装置。
【請求項６】
予め定められた宛先に対し、前記送信手段が、前記記憶手段に記憶された時間が経過した後に前記データを送信するか、前記記憶手段に記憶された時間が経過するのを待たずに前記データを送信するを選択可能であることを特徴とする請求項１乃至５のいずれか１項に記載の通信装置。
【請求項７】
ＩＰ網を経由するファックス通信によりデータの送信を行う通信装置の制御方法であって、
ファックス通信の宛先へ前記データを送信する前に、当該データの送信をキャンセル可能とするための時間を記憶手段から取得する取得ステップと、
前記宛先に前記データを送信するための指示を受け付けた後、前記取得ステップにより取得された時間が経過した後に前記データを送信する送信ステップと
を備えたことを特徴とする通信装置の制御方法。
【請求項８】
ＩＰ網を経由するファックス通信によりデータの送信を行う通信装置の制御方法をコンピュータに実行させるためのプログラムであって、
前記通信装置の制御方法は、
ファックス通信の宛先へ前記データを送信する前に、当該データの送信をキャンセル可能とするための時間を記憶手段から取得する取得ステップと、
前記宛先に前記データを送信するための指示を受け付けた後、前記取得ステップにより取得手段に取得された時間が経過した後に前記データを送信する送信ステップと
を備えたことを特徴とするプログラム。
【手続補正書】
【提出日】平成26年11月27日(2014.11.27)
【手続補正１】
【補正対象書類名】明細書
【補正対象項目名】００２２
【補正方法】変更
【補正の内容】
【００２２】
アンテナ基板１１には、例えばフレキシブルプリント基板などの可撓性の導線をパターンニング処理などをすることによって形成されるアンテナコイル１１ａと、アンテナコイル１１ａと通信処理部１２とを電気的に接続する端子部１１ｂとが実装されている。
【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
撮像手段と、
撮影装置の位置情報を検出する位置検出手段と、
前記位置検出手段で検出された位置情報を、無線通信を介してサーバ装置に送信する送信手段と、
前記位置情報に関する探索範囲内の撮影者が望む被写体の撮影候補情報を、無線通信を介して前記サーバ装置より受信する受信手段と、
前記受信手段により受信された撮影候補情報をディスプレイに表示する表示手段と、
を有する撮影装置。
【請求項２】
前記送信手段は、前記撮像手段による撮影の撮影傾向情報を撮影装置ごとに記録する記録手段と、前記記録手段により記録された撮影傾向情報に基づいて撮影者が望む被写体の撮影者望被写体情報を判断し、登録する登録手段と、を有する前記サーバ装置に、前記位置情報を送信し、
前記受信手段は、前記位置情報と前記撮影者望被写体情報とに基づいて決定された前記撮影候補情報を前記サーバ装置より受信する請求項１記載の撮影装置。
【請求項３】
撮像手段と、
撮影装置の位置情報を検出する位置検出手段と、
前記位置検出手段で検出された位置情報と、撮影者が望む被写体の撮影者望被写体情報と、を、無線通信を介してサーバ装置に送信する送信手段と、
前記位置情報と前記撮影者望被写体情報とに基づいて決定された、前記位置情報に関する探索範囲内の撮影者が望む被写体の撮影候補情報を、無線通信を介して前記サーバ装置より受信する受信手段と、
前記受信手段により受信された撮影候補情報をディスプレイに表示する表示手段と、
を有する撮影装置。
【請求項４】
前記撮像手段による撮影の撮影傾向情報を記録する記録手段と、
前記記録手段により記録された撮影傾向情報に基づいて撮影者が望む被写体の撮影者望被写体情報を判断し、登録する登録手段と、
を更に有し、
前記送信手段は、前記位置情報と、前記登録手段で登録された前記撮影者望被写体情報とを、無線通信を介してサーバ装置に送信し、
前記受信手段は、前記位置情報と前記撮影者望被写体情報とに基づいて決定された前記位置情報に関する探索範囲内の撮影者が望む被写体の撮影候補情報を、無線通信を介して前記サーバ装置より受信する請求項３記載の撮影装置。
【請求項５】
前記受信手段は、前記位置情報と前記撮影者望被写体情報とに基づいて作成された画像データと、地図データと、に基づき作成された頻度マップより決定された前記位置情報に関する探索範囲内の撮影者が望む被写体の撮影候補情報を、無線通信を介して前記サーバ装置より受信する請求項４記載の撮影装置。
【請求項６】
前記位置検出手段により検出される撮影装置の位置情報に基づいて推定される前記撮影装置の移動の状況に応じて、前記探索範囲が異なる請求項１乃至５何れか１項記載の撮影装置。
【請求項７】
撮像手段と、
撮影装置の位置情報を検出する位置検出手段と、
前記位置検出手段で検出された位置情報に基づいて、前記位置情報に関する探索範囲内の撮影者が望む被写体の撮影候補情報を決定する決定手段と、
前記決定手段により決定された撮影候補情報をディスプレイに表示する表示手段と、
を有する撮影装置。
【請求項８】
前記決定手段は、前記位置情報と、撮影者が望む被写体の撮影者望被写体情報と、に基づいて、前記位置情報に関する探索範囲内の撮影者が望む被写体の撮影候補情報を決定し、
前記表示手段は、前記決定手段により決定された前記撮影候補情報を前記ディスプレイに表示する請求項７記載の撮影装置。
【請求項９】
前記撮像手段による撮影の撮影傾向情報を記録する記録手段と、
前記記録手段により記録された撮影傾向情報に基づいて撮影者が望む被写体の撮影者望被写体情報を判断し、登録する登録手段と、
前記撮像手段で撮影された画像に前記位置検出手段で検出された位置情報と前記画像に写っている被写体の被写体情報とを付加して画像データとして蓄積し、画像データと地図データとに基づいて頻度マップを作成する蓄積手段と、
を更に有し、
前記決定手段は、前記位置情報と、前記撮影者望被写体情報と、に基づいて、前記頻度マップを検索し、前記位置情報に関する探索範囲内の撮影者が望む被写体の撮影候補情報を決定する請求項８記載の撮影装置。
【請求項１０】
撮像手段を有する撮影装置が実行する表示方法であって、
撮影装置の位置情報を検出する位置検出ステップと、
前記位置検出ステップで検出された位置情報を、無線通信を介してサーバ装置に送信する送信ステップと、
前記位置情報に関する探索範囲内の撮影者が望む被写体の撮影候補情報を、無線通信を介して前記サーバ装置より受信する受信ステップと、
前記受信ステップで受信された前記撮影候補情報をディスプレイに表示する表示ステップと、
を含む表示方法。
【請求項１１】
撮像手段を有する撮影装置が実行する表示方法であって、
撮影装置の位置情報を検出する位置検出ステップと、
前記位置検出ステップで検出された位置情報と、撮影者が望む被写体の撮影者望被写体情報と、を、無線通信を介してサーバ装置に送信する送信ステップと、
前記位置情報と前記撮影者望被写体情報とに基づいて決定された、前記位置情報に関する探索範囲内の撮影者が望む被写体の撮影候補情報を、無線通信を介して前記サーバ装置より受信する受信ステップと、
前記受信ステップで受信された前記撮影候補情報をディスプレイに表示する表示ステップと、
を含む表示方法。
【請求項１２】
撮像手段を有するコンピュータに、
コンピュータの位置情報を検出する位置検出ステップと、
前記位置検出ステップで検出された位置情報を、無線通信を介してサーバ装置に送信する送信ステップと、
前記位置情報に関する探索範囲内の撮影者が望む被写体の撮影候補情報を、無線通信を介して前記サーバ装置より受信する受信ステップと、
前記受信ステップで受信された前記撮影候補情報をディスプレイに表示する表示ステップと、
を実行させるためのプログラム。
【請求項１３】
撮像手段を有するコンピュータに、
コンピュータの位置情報を検出する位置検出ステップと、
前記位置検出ステップで検出された位置情報と、撮影者が望む被写体の撮影者望被写体情報と、を、無線通信を介してサーバ装置に送信する送信ステップと、
前記位置情報と前記撮影者望被写体情報とに基づいて決定された、前記位置情報に関する探索範囲内の撮影者が望む被写体の撮影候補情報を、無線通信を介して前記サーバ装置より受信する受信ステップと、
前記受信ステップで受信された前記撮影候補情報をディスプレイに表示する表示ステップと、
を実行させるためのプログラム。
【手続補正２】
【補正対象書類名】明細書
【補正対象項目名】０００７
【補正方法】変更
【補正の内容】
【０００７】
そこで、本発明の撮影装置は、撮像手段と、撮影装置の位置情報を検出する位置検出手段と、前記位置検出手段で検出された位置情報を、無線通信を介してサーバ装置に送信する送信手段と、前記位置情報に関する探索範囲内の撮影者が望む被写体の撮影候補情報を、無線通信を介して前記サーバ装置より受信する受信手段と、前記受信手段により受信された撮影候補情報をディスプレイに表示する表示手段と、を有する。
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
ＲＡＷ動画データを出力する撮像手段と、
前記ＲＡＷ動画データの現像処理を行い、所定の形式の現像された動画データを出力する現像手段と、
前記所定の形式の動画データを伝送するための所定の伝送方式に従い前記現像された動画データを外部の記録装置に出力する出力手段と、
前記ＲＡＷ動画データを前記記録装置に出力するための所定のモードが設定された場合に、前記ＲＡＷ動画データを前記所定の伝送方式に従って前記記録装置に出力するように、前記出力手段を制御する制御手段と、を有することを特徴とする撮像装置。
【請求項２】
前記制御手段は、前記所定のモードが設定された場合、前記ＲＡＷ動画データと前記ＲＡＷ動画データを示す識別情報とを前記記録装置に出力するように、前記出力手段を制御することを特徴とする請求項１に記載の撮像装置。
【請求項３】
前記制御手段は、前記現像された動画データを出力する場合に前記ＲＡＷ動画データを示す識別情報を出力しないように、前記出力手段を制御することを特徴とする請求項２に記載の撮像装置。
【請求項４】
前記出力手段は、前記所定のモードにおいて、前記ＲＡＷ動画データが出力されないブランキング期間に前記ＲＡＷ動画データを示す識別情報を出力することを特徴とする請求項２に記載の撮像装置。
【請求項５】
前記出力手段は、第１の出力部と第２の出力部とを有し、
前記制御手段は、前記所定のモードが設定された場合に、前記第１の出力部から前記現像された動画データを出力しながら、前記第２の出力部から前記ＲＡＷ動画データを出力するように、前記出力手段を制御することを特徴とする請求項１に記載の撮像装置。
【請求項６】
撮像装置の撮像手段が、ＲＡＷ動画データを出力する撮像工程と、
前記撮像装置の現像手段が、前記ＲＡＷ動画データの現像処理を行い、所定の形式の現像された動画データを出力する現像工程と、
前記撮像装置の出力手段が、前記所定の形式の動画データを伝送するための所定の伝送方式に従い前記現像された動画データを外部の記録装置に出力する出力工程と、
前記撮像装置の制御手段が、前記ＲＡＷ動画データを前記記録装置に出力するための所定のモードが設定された場合に、前記ＲＡＷ動画データを前記所定の伝送方式に従って前記記録装置に出力するように、前記出力手段を制御する制御工程と、を有する
ことを特徴とする撮像装置の制御方法。
【手続補正２】
【補正対象書類名】明細書
【補正対象項目名】発明の名称
【補正方法】変更
【補正の内容】
【発明の名称】撮像装置及び制御方法
【手続補正３】
【補正対象書類名】明細書
【補正対象項目名】０００１
【補正方法】変更
【補正の内容】
【０００１】
本発明は、撮像装置及び制御方法に関し、特に高解像度の動画を記録する技術に関する。
【手続補正４】
【補正対象書類名】明細書
【補正対象項目名】００１２
【補正方法】変更
【補正の内容】
【００１２】
前述の目的を達成するために、本発明の撮像装置は、以下の構成を備える。
ＲＡＷ動画データを出力する撮像手段と、ＲＡＷ動画データの現像処理を行い、所定の形式の現像された動画データを出力する現像手段と、所定の形式の動画データを伝送するための所定の伝送方式に従い現像された動画データを外部の記録装置に出力する出力手段と、ＲＡＷ動画データを記録装置に出力するための所定のモードが設定された場合に、ＲＡＷ動画データを所定の伝送方式に従って記録装置に出力するように、出力手段を制御する制御手段と、を有することを特徴とする。
【手続補正５】
【補正対象書類名】明細書
【補正対象項目名】００１３
【補正方法】変更
【補正の内容】
【００１３】
また前述の目的を達成するために、本発明の撮像装置の制御方法は、以下の構成を備える。
撮像装置の撮像手段が、ＲＡＷ動画データを出力する撮像工程と、撮像装置の現像手段が、ＲＡＷ動画データの現像処理を行い、所定の形式の現像された動画データを出力する現像工程と、撮像装置の出力手段が、所定の形式の動画データを伝送するための所定の伝送方式に従い現像された動画データを外部の記録装置に出力する出力工程と、撮像装置の制御手段が、ＲＡＷ動画データを記録装置に出力するための所定のモードが設定された場合に、ＲＡＷ動画データを所定の伝送方式に従って記録装置に出力するように、出力手段を制御する制御工程と、を有することを特徴とする。
【手続補正６】
【補正対象書類名】明細書
【補正対象項目名】００１４
【補正方法】削除
【補正の内容】
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
第１の色と第２の色を用いて印刷する２色印刷を実行可能な印刷装置であって
画像データを入力する入力手段と、
前記画像データに基づく印刷を実行する際に前記２色印刷を行う領域を、ユーザの指定に基づいて決定する決定手段と、
前記決定手段によって決定された領域に前記２色印刷を実行し、その他の領域にモノクロ印刷を実行する印刷手段とを備えることを特徴とする印刷装置。
【請求項２】
第１の色と第２の色を用いて印刷する２色印刷を実行可能な印刷装置であって
画像データを入力する入力手段と、
前記画像データに基づいて前記２色印刷を実行した場合の印刷結果を示す画像パターンを、前記２色印刷に関する彩度閾値を変更することで複数生成する生成手段と、
前記生成手段によって生成された複数の画像パターンの中からユーザが所望の画像パターンを選択するための選択画面を表示する表示手段と、
前記選択画面においてユーザに選択された画像パターンに対応する前記彩度閾値に基づいて、前記画像データに基づく前記２色印刷を実行する印刷手段とを備えることを特徴とする印刷装置。
【請求項３】
前記前記画像データに基づく印刷を実行する際に前記２色印刷を行う領域を、ユーザの指定に基づいて決定する決定手段を更に備え、
前記印刷手段は、前記決定手段によって決定された領域に前記２色印刷を実行し、その他の領域にモノクロ印刷を実行することを特徴とする請求項２に記載の印刷装置。
【請求項４】
前記２色印刷は、黒と黒とは異なるもう１色を用いる印刷であることを特徴とする請求項1乃至３のいずれか1項に記載の印刷装置。
【請求項５】
第１の色と第２の色を用いて印刷する２色印刷に関する印刷プレビューの表示方法であって、
印刷対象の画像データに対して、前記２色印刷を行う領域をユーザの指定に基づいて決定する決定ステップと、
前記決定ステップで決定された領域に前記２色印刷を実行し、その他の領域にモノクロ印刷を実行した場合の印刷結果を示す印刷プレビューを表示する表示ステップとを有することを特徴とする印刷プレビューの表示方法。
【請求項６】
第１の色と第２の色を用いて印刷する２色印刷に関する印刷プレビューの表示方法であって、
印刷対象の画像データに対して、前記２色印刷を実行した場合の印刷結果を示す印刷プレビューを、前記２色印刷に関する彩度閾値を変更することで複数生成する生成する生成ステップと、
前記生成ステップで生成された複数の印刷プレビューを表示する表示ステップとを有することを特徴とする印刷プレビューの表示方法。
【請求項７】
前記２色印刷を行う領域をユーザの指定に基づいて決定する決定ステップを更に有し、
前記生成ステップでは、前記決定ステップで決定された領域に前記２色印刷を実行し、その他の領域にモノクロ印刷を実行した場合の印刷結果を示す印刷プレビューが複数生成されることを特徴とする請求項６に記載の印刷プレビューの表示方法。
【請求項８】
前記２色印刷は、黒と黒とは異なるもう１色を用いる印刷であることを特徴とする請求項５乃至７のいずれか１項に記載の印刷プレビューの表示方法。
【請求項９】
請求項５乃至８のいずれか１項に記載の印刷プレビューの表示方法をコンピュータに実行させるためのプログラム。